(57)【要約】【課題】  印刷機の給水装置において、湿し水の流量を多くしても水舟から湿し水が溢れてしまうようなことがなく、適正な温度の湿し水を供給できるようにし印刷障害を取り除く。【解決手段】  水舟内の湿し水の貯水量を一定に保つ排水管の排水口に口金４１を設け、この口金４１を両端に湿し水取り入れ孔４２ｂと湿し水排出孔４３ａとが設けられた略円筒状に形成する。湿し水取り入れ孔４２ｂの端縁の一部に水の流れを規制する堰４２ｃ，４２ｄを設ける。湿し取り入れ孔４２ｂの開口面積を湿し水排出孔４３ａの開口面積よりも大きく形成する。【選択図】  図５
2009034949.tif 000002
【特許請求の範囲】
【請求項１】
湿し水を貯留する水舟と、
この水舟に湿し水を供給する湿し水供給装置と、
この湿し水供給装置から水舟内に供給された湿し水を排出する排水管とを備えた印刷機の給水装置において、
前記排水管に口金を取り付け、
この口金は、前記水舟内の湿し水の貯水量を一定に保つ湿し水排出部と、湿し水の流れを規制する堰とを有することを特徴とする印刷機の給水装置。
【請求項２】
前記口金の前記排水管の側面に、前記排水管内に流入した空気を排出する空気排出部を備えたことを特徴とする請求項１記載の印刷機の給水装置。
【請求項３】
前記口金は、前記湿し水排出部から湿し水が供給される湿し水取り入れ孔と、この湿し水取り入れ孔から供給される湿し水を前記排水管へ排出する湿し水排出孔とを有し、
前記湿し水取り入れ孔の開口面積を、前記湿し水排出孔の開口面積よりも広く形成したことを特徴とする請求項１記載の印刷機の給水装置。
【発明の詳細な説明】
【技術分野】
【０００１】
本発明は、水舟内に湿し水供給装置によって供給した湿し水を排水する印刷機の給水装置に関するものである。
【背景技術】
【０００２】
従来の印刷機の給水装置としては、湿し水を貯留するタンクと、このタンク内に貯留されている湿し水を冷却するためのクーラーと、タンク内の湿し水を４本の給水管を介して各印刷ユニットの水舟に供給するためのポンプと、水舟内の湿し水の貯留量を一定に保つ排水管と、この排水管を介して一定以上の湿し水を一時的に貯水する予備のタンクとを備えたものがある（例えば、特許文献１参照）。
【特許文献１】特開２００６−４３９８１号公報（段落〔００１２〕〜〔００１３〕、図１）
【発明の開示】
【発明が解決しようとする課題】
【０００３】
一般的に、この種の印刷機の湿し水の適正温度は、１０〜１３℃とされており、上述した従来の印刷機においても、湿し水供給装置用のタンクにクーラーを設け、このクーラーによって供給する湿し水を適正な温度範囲内に管理している。しかしながら、湿し水供給装置から水舟までの配管経路が長かったり、湿し水の供給量が不足したり、環境温度の上昇等により、水舟内に供給される湿し水の温度が適正温度から外れることがある。このように湿し水の温度が適正温度から外れてしまうと、地よごれ、網点の変形等の印刷障害が発生するという問題があった。これを解決しようとして、湿し水の流量を多くすると、水舟から湿し水が溢れてしまうことがあった。すなわち、口金の湿し水排出部が水平な面に形成されていると、全周縁から口金内に湿し水が入るため、空気を巻き込みその空気が泡となって上昇することにより、口金内に入る湿し水の流れを阻害するためである。
【０００４】
本発明は上記した従来の問題に鑑みなされたものであり、その目的とするところは、湿し水の流量を多くしても水舟から湿し水が溢れてしまうようなことがなく、適正な温度の湿し水を常に供給できるようにして印刷障害を取り除いた印刷機の給水装置を提供するところにある。
【課題を解決するための手段】
【０００５】
この目的を達成するために、本発明は、湿し水を貯留する水舟と、この水舟に湿し水を供給する湿し水供給装置と、この湿し水供給装置から水舟内に供給された湿し水を排出する排水管とを備えた印刷機の給水装置において、前記排水管に口金を取り付け、この口金は、前記水舟内の湿し水の貯水量を一定に保つ湿し水排出部と、湿し水の流れを規制する堰とを有するものである。
【０００６】
本発明は、前記発明において、前記口金の前記排水管の側面に、前記排水管内に流入した空気を排出する空気排出部を備えたものである。
【０００７】
本発明は、前記発明において、前記口金は、前記湿し水排出部から湿し水が供給される湿し水取り入れ孔と、この湿し水取り入れ孔から供給される湿し水を前記排水管へ排出する湿し水排出孔とを有し、前記湿し水取り入れ孔の開口面積を、前記湿し水排出孔の開口面積よりも広く形成したものである。
【発明の効果】
【０００８】
本発明によれば、口金に湿し水排出部と湿し水の流れを規制する堰を設けたことにより、湿し水取り入れ孔のうち堰の裏面側の部位に、湿し水取り入れ孔と湿し水排出孔との間に延在する湿し水が存在しない空間である空気排出用通路が形成される。この空気排出用通路は、湿し水排出部から湿し水取り入れ部に取り入れられた湿し水に混在する空気が、泡となって湿し水取り入れ孔から放出されるための通り道として機能する。このように、口金内に泡を放出するための通り道が形成されることにより、湿し水排出部から取り入れられた湿し水の流れが湿し水取り入れ孔内を上昇する泡によって妨げられるようなことがない。したがって、口金内を通過する湿し水の量を増やすことができるから、湿し水の供給量を多くしても水舟から湿し水が溢れるようなことがなくなるため、水舟内への湿し水の供給量が不足するようなことがなくなる。このため、常に水舟内へ適正な温度の湿し水を供給できるようになるから、地よごれ、網点の変形等の印刷障害を取り除くことができる。
【０００９】
また、前記発明のうちの一つの発明によれば、排水管に滞留する空気が空気排出部を通って空気排出用通路から口金の外部に放出される。このため、水舟内へ適正な温度の湿し水をより一層確実に供給することができるようになる。
【００１０】
また、前記発明のうちの一つの発明によれば、湿し水取り入れ孔の開口面積を湿し水排出孔の開口面積よりも広く形成したことにより、口金内に流入する湿し水に多くの大気圧がかかり口金内への湿し水の流量を増やすことができるため、湿し水の供給量を多くしても水舟から湿し水が溢れるようなことがなくなるため、水舟内への湿し水の供給量が不足するようなことがなくなる。
【発明を実施するための最良の形態】
【００１１】
以下、本発明の実施の形態を図に基づいて説明する。図１は本発明に係る印刷機における湿し水の給水回路を概念的に示す回路図、図２は同じく水舟の斜視図、図３は同じく水舟の側面図、図４は同じく給水装置とインキ装置とを説明するためのローラの配列図、図５は同じく口金を示し、同図（Ａ）は平面図、同図（Ｂ）は右側面図、同図（Ｃ）は同図（Ａ）におけるV（Ｃ）-V（Ｃ） 線断面図、同図（Ｄ）は左側面図である。
【００１２】
図１において、全体を符号１で示す印刷機には４つの印刷ユニット２Ａないし２Ｄが備えられており、これら印刷ユニット２Ａないし２Ｄには、版胴３とこれと対向するゴム胴４とこれと対向する圧胴５とが設けられている。また、印刷ユニット２Ａないし２Ｄには、図４に示すように版胴３に湿し水を供給する給水装置６と、版胴３にインキを供給するインキ装置７とが備えられている。
【００１３】
給水装置６は、水舟８に浸漬された水元ローラ９と、版胴３に対接する水着ローラ１０と、この水着ローラ１０と水元ローラ９との間に設けられ互いに周面が対接した調量ローラ１１および移しローラ１２とによって構成されている。インキ装置７はインキ供給装置１３とインキローラ群１４とで構成されており、インキ供給装置１３は、インキ壷ローラ１５と左右一対のインキせきによってインキが蓄えられたインキ壷１６とが備えられている。
【００１４】
インキローラ群１４は、版胴３の周面に対接しているインキ着けローラ１８と、これを支持する振りローラ１９と、この振りローラ１９の上方に設けられた３個の練りローラ２０と、インキ壷ローラ１５と練りローラ２１とに交互に接触する呼び出しローラ２２と、練りローラ２３と振りローラ２４とによって概略構成されている。
【００１５】
上記した印刷機１には、図１に示すように印刷用の湿し水２５を貯留するタンク２６が備えられている。２７はタンク２６内に貯留されている湿し水２５を冷却するクーラー、２８はタンク２６内の湿し水２５を配管２９を介して４本の給水管３０Ａないし３０Ｄに給水するためのポンプである。
【００１６】
これら４本の給水管３０Ａないし３０Ｄへの湿し水２５の供給量は、バルブ３１Ａないし３１Ｄの開閉量によって個々に調整され、湿し水２５は４本の給水管３０Ａないし３０Ｄを介して各印刷ユニット２Ａないし２Ｄに備えられているそれぞれの水舟８に供給される。これらタンク２６、クーラー２７、ポンプ２８、配管２９、給水管３０Ａないし３０Ｄおよびバルブ３１Ａないし３１Ｄが湿し水供給装置３２を形成している。
【００１７】
これら水舟８には、水舟８内の湿し水２５の貯留量を一定に保つ排水管３３Ａないし３３Ｄが設けられており、一定量以上の湿し水２５はこれら排水管３３Ａないし３３Ｄから配管３４を通り、フィルタ３５を介して予備のタンク３６に一時的に貯留される。
【００１８】
この予備のタンク３６に貯留された湿し水２５は、予備のタンク３６内の湿し水２５の貯留量が増加したことを検知して、ポンプ３７を作動させ、復水管３８を介してタンク２６内に送水し、予備のタンク３６内の湿し水２５を一定量に維持させる。これら排水管３３Ａないし３３Ｄ、配管３４、フィルタ３５、予備のタンク３６、ポンプ３７および復水管３８が湿し水排水装置３９を形成している。
【００１９】
次に、図５を用いて、本発明の特徴である口金について説明する。同図において、全体を符号４０で示す金属製の口金は、上部側に位置する大径円筒部４２と、下部側に位置する小径円筒部４３とによって略円筒状に形成されている。大径円筒部４２の内部には、湿し水取り入れ孔４２ｂが設けられ、小径円筒部４３の内部には、湿し水排出孔４３ａが設けられ、湿し水取り入れ孔４２ｂと湿し水排出孔４３ａとの間には、連通部４１が設けられ、湿し水取り入れ孔４２ｂの開口面積が湿し水排出孔４３ａの開口面積よりも広く形成されている。また、小径円筒部４３の側面であって堰４２ｄの直下には、排水管３３Ａと連通する逆Ｕ字状に形成された空気排出部としての空気排出溝４３ｂが設けられている。
【００２０】
大径円筒部４２の上端には、水舟８内に貯留されている湿し水２５を湿し水取り入れ孔４２ｂへ排出する湿し水排出部４２ａと、湿し水の流れを規制する円周方向に角度αだけ延在して湿し水排出部４２ａよりも高い位置に突設した堰４２ｃと、この堰４２ｃと対向し円周方向に角度β（β＜α）だけ延在して湿し水排出部４２ａよりも高い位置に突設した堰４２ｄとが設けられている。このように形成された口金４０は、小径円筒部４３の湿し水排出孔４３ａおよび空気排出溝４３ｂが同図（Ｃ）に示すように排水管３３Ａに嵌合され接続されている。また、口金４０を水舟８内に載置することで湿し水２５の水面が湿し水排出部４２ａと一致する。したがって、口金４０の堰４２ｃ，４２ｄは、水舟８内に貯留されている湿し水２５の水面から突出していることになる。
【００２１】
このように構成されていることにより、水舟８内に貯留されている湿し水２５は、二つの堰４２ｃ，４２ｄによって流れ４４の一部が規制されながら、上端のこれら堰４２ｃ，４２ｄが設けられていない部位の湿し水排出部４２ａから湿し水取り入れ孔４２ｂに流入する。すなわち、水舟８内に貯留されている湿し水２５のうち堰４２ｃ方向から口金４０内へ流入する湿し水２５の流れ４４ａは、同図（Ａ）に示すように堰４２ｃの周りを迂回しながら、湿し水排出部４２ａから流入するように指向する。
【００２２】
したがって、湿し水取り入れ孔４２ｂのうち堰４２ｄの内面側の部位４５（同図（Ａ）および同図（Ｃ）に二点鎖線で囲んだ部位）に、湿し水取り入れ孔４２ｂと湿し水排出孔４３ａとの間に延在する湿し水２５が存在しない空間である空気排出用通路が形成される。この空気排出用通路４５は、湿し水取り入れ孔４２ｂから取り入れられた湿し水２５に混在する空気が、泡となって湿し水取り入れ孔４２ｂから放出されるための通り道として機能する。
【００２３】
このように、口金４０内に泡を放出するための通り道が設けられることにより、湿し水排出部４２ａから湿し水取り入れ孔４２ｂに取り入れられた湿し水２５の流れが口金４０内を上昇する泡によって妨げられるようなことがない。このため、口金４０内を通過する湿し水２５の量を増やすことができるから、湿し水２５の供給量を多くしても水舟８から湿し水２５が溢れるようなことがなくなるため、水舟８内への湿し水２５の供給量が不足するようなことがなくなる。したがって、常に水舟８内へ適正な温度の湿し水２５を供給できるようになるから、地よごれ、網点の変形等の印刷障害を取り除くことができる。また、小径円筒部４３の側面であって堰４２ｄの直下に、排水管３３Ａと連通する空気排出溝４３ｂを設けたことにより、排水管３３Ａに滞留する空気がこの空気排出溝４３ｂを通って空気排出用通路４５から口金４０の外部に放出される。このため、水舟８内へ適正な温度の湿し水２５をより一層確実に供給することができるようになる。
【００２４】
なお、口金４０に堰４２ｃ，４２ｄ、空気排出溝４３ｂを設けたことにより、従来口金内を通過する湿し水の流量が６００ｃｃ／分程度だったものが、１０００ｃｃ／分以上に向上し、湿し水供給装置３２のタンク２６側で設定した湿し水の温度と、水舟８内に貯留される湿し水の温度差が１〜２℃内に納まることが実験で確かめられた。
【００２５】
また、堰４２ｃに対向して堰４２ｃよりも円周方向への長さが短い堰４２ｄを設けたことにより、水舟８内に貯留されている湿し水２５のうち、空気排出用通路４５方向へ向かって口金４０内へ流入する湿し水２５の流れ４４ｂは、同図（Ａ）に示すように堰４２ｄによって規制される。このため、空気排出用通路４５内へ湿し水２５の流入が規制されるから、口金４０内を上昇する泡がこの空気排出用通路４５を通って効率よく口金４０の外部に放出される。
【００２６】
また、口金４０の湿し水取り入れ孔４２ｂの開口面積が湿し水排出孔４３ａの開口面積よりも広く形成されているため、大気圧が多くかかり口金４０内への湿し水２５の流量を増やすことができる。さらに、口金４０には排水管３３Ａと湿し水排出孔４３ａとの間を連通する空気排出溝４３ｂが形成され、湿し水によって巻き込まれた空気が排出されやすくなり、湿し水２５の供給量を多くしても水舟８から湿し水２５が溢れるようなことがなくなるため、水舟８内への湿し水の供給量が不足するようなことがなくなる。
【００２７】
なお、本実施の形態においては、口金４０を金属によって形成したが、プラスチックによって形成してもよい。
【図面の簡単な説明】
【００２８】
【図１】本発明に係る印刷機における湿し水の給水回路を概念的に示す回路図である。
【図２】本発明に係る印刷機における水舟の斜視図である。
【図３】本発明に係る印刷機における水舟の側面図である。
【図４】本発明に係る印刷機における給水装置とインキ装置とを説明するためのローラの配列図である。
【図５】本発明に係る印刷機における口金を示し、同図（Ａ）は平面図、同図（Ｂ）は右側面図、同図（Ｃ）は同図（Ａ）におけるIV（Ｃ）-IV（Ｃ） 線断面図、同図（Ｄ）は左側面図である。
【符号の説明】
【００２９】
１…印刷機、２Ａないし２Ｄ…印刷ユニット、３…版胴、８…水舟、９…水元ローラ、２５…湿し水、２６…タンク、２７…クーラー、２８，３７…ポンプ、３０Ａないし３０Ｄ…給水管、３２…湿し水供給装置、３３Ａないし３３Ｄ…排水管、３６…予備のタンク、３９…湿し水排水装置、４０…口金、４２ａ…湿し水排出部、４２ｂ…湿し水取り入れ孔、４２ｃ，４２ｄ…堰、４３ａ…湿し水排出孔、４３ｂ…空気排出溝（空気排出部）、４４…湿し水の流れ、４５…空気排出用通路。
【図１】
2009034949.tif 000003
【図２】
2009034949.tif 000004
【図３】
2009034949.tif 000005
【図４】
2009034949.tif 000006
【図５】
2009034949.tif 000007